(57)【特許請求の範囲】
【請求項１】
回転駆動される羽根車の軸方向に設けられた吸込口から吸い込まれた空気を、前記羽根車の接線方向に吹き出すファンケースと、
前記ファンケースを覆うと共に、前記ファンケースの外側の空間に形成された端子台取付部と対向する側面に端子台開口部を有し、不燃性材料で構成された本体ケースと、
前記本体ケースの前記端子台開口部の内側で、前記ファンケースの外側の空間で形成された前記端子台取付部に、不燃性材料で構成される取付部材を介して取り付けられ、前記本体ケースの前記端子台開口部に露出した端子台とを備え、
前記取付部材は、前記本体ケースの前記端子台開口部に面して開口部が形成され、前記本体ケースの内側で、前記端子台を覆う形状を有すると共に、縦向きとした前記端子台が、電線接続口を横向きとして前記本体ケースの側面に対して横向きに傾斜させて取り付けられる
ことを特徴とする設備機器。
【請求項２】
前記ファンケースは、前記羽根車の円周方向に沿って内側に突出する舌部を有し、前記端子台取付部を前記舌部の外側の空間に形成したことを特徴とする請求項１記載の設備機器。
【請求項３】
前記ファンケースは、前記取付部材の位置を合わせる位置決め部材を前記端子台取付部に備えると共に、
前記取付部材は、前記本体ケースに固定される締結部材を備えた
ことを特徴とする請求項１または２記載の設備機器。
【請求項４】
不燃性材料で構成され、前記端子台に接続される配線が通る切り欠き部を有した蓋部が、前記本体ケースの前記端子台開口部に取り付けられる
ことを特徴とする請求項１，２または３記載の設備機器。
【発明の詳細な説明】
【技術分野】
【０００１】
本発明は、建物内に設置され、外部より電気配線が接続される設備機器に関する。
【背景技術】
【０００２】
従来から、住宅等の建物内に、空調装置や換気扇等の設備機器が配置される。例えば、浴室には、浴室の暖房や換気等を行う浴室暖房換気乾燥装置が設置されている。
【０００３】
浴室暖房換気乾燥装置は、浴室の例えば天井に設置される。浴室暖房換気乾燥装置を浴室の天井に設置する形態では、空気の吸込口や吹出口が形成されたフロントパネルは浴室の天井パネルに露出させ、ファン等が実装された本体部は、天井パネルに形成した開口部から天井裏に入り込ませる設置形態となる。
【０００４】
このような浴室暖房換気乾燥装置等の設備機器では、設備機器を操作するためのリモートコントロール装置からの配線や電源配線等を接続する端子台が備えられ、浴室暖房換気乾燥装置では、端子台は筐体の上部に備えられる（例えば、特許文献１参照）。
【０００５】
【特許文献１】特開２００１−２５４９８２号公報
【発明の開示】
【発明が解決しようとする課題】
【０００６】
浴室暖房換気乾燥装置等の設備機器は、設置場所への施工後に、電源配線等の接続作業が、設備機器が例えば天井に設置される形態では、天井に備えられた点検口から行われる。一方、設備機器は、設置場所の高さが低い場所に設置される場合がある。
【０００７】
しかし、従来の設備機器では、端子台が筐体の上部に備えられているので、点検口から視認しにくく、配線の接続作業が容易に行なえないという問題があった。
【０００８】
また、接続された配線を取り外すためのリリースボタンが端子台の上面に備えられているが、設備機器の設置場所の高さが低いと、リリースボタンの操作がしづらいという問題があった。
【０００９】
更に、配線が接続されたこと確認するための識別子が端子台の上面に備えられている構成があるが、端子台が筐体の上部に備えられており、設備機器の設置場所への施工後には、筐体を上面から見ることができないので、識別子の機能を利用することができないという問題があった。
【００１０】
本発明は、このような課題を解決するためになされたもので、設置場所への設置後に、配線の接続作業が容易かつ確実に行える設備機器を提供することを目的とする。
【課題を解決するための手段】
【００１１】
上述した課題を解決するため、本発明の設備機器は、回転駆動される羽根車の軸方向に設けられた吸込口から吸い込まれた空気を、羽根車の接線方向に吹き出すファンケースと、ファンケースを覆うと共に、ファンケースの外側の空間に形成された端子台取付部と対向する側面に端子台開口部を有し、不燃性材料で構成された本体ケースと、本体ケースの端子台開口部の内側で、ファンケースの外側の空間で形成された端子台取付部に、不燃性材料で構成される取付部材を介して取り付けられ、本体ケースの端子台開口部に露出した端子台とを備え、取付部材は、本体ケースの端子台開口部に面して開口部が形成され、本体ケースの内側で、端子台を覆う形状を有すると共に、縦向きとした端子台が、電線接続口を横向きとして本体ケースの側面に対して横向きに傾斜させて取り付けられることを特徴とする。
【００１２】
本発明の設備機器では、端子台が露出する端子台開口部が設けられた本体ケースの側面を、点検口に向ける配置で設置される。設備機器は、端子台開口部を点検口に向ける配置で設置されると、点検口から見て、端子台開口部に露出した端子台が正面にあり、かつ、端子台の電線接続口が見えるようにすることができる。
【００１３】
端子台は、電線接続口が、本体ケースの側面に対して所定の角度で横を向いており、端子台の電線接続口に配線が挿入されると、配線の挿抜方向が点検口から正面に見えるようにすることができ、電線接続口に配線が挿入されたか否かが視認しやすくなっている。
【発明の効果】
【００１４】
本発明の設備機器によれば、端子台の視認性が向上し、端子台への配線作業を容易かつ確実に行なうことができる。
【発明を実施するための最良の形態】
【００１５】
以下、図面を参照して本発明の設備機器の実施の形態としての空調装置について説明する。
【００１６】
＜浴室暖房換気乾燥装置の構成例＞
図１は、本実施の形態の空調装置としての浴室暖房換気乾燥装置の一例を示す斜視図、図２及び図３は、本実施の形態の浴室暖房換気乾燥装置の一例を示す分解斜視図、図４は、本実施の形態の浴室暖房換気乾燥装置における端子台の分解斜視図である。
【００１７】
また、図５は、本実施の形態の浴室暖房換気乾燥装置の内部構成を示す平面断面図、図６は、本実施の形態の浴室暖房換気乾燥装置の内部構成を示す側断面図である。
【００１８】
更に、図７は、本実施の形態の浴室暖房換気乾燥装置で端子台を開いた状態を示す側面図、図８は、本実施の形態の浴室暖房換気乾燥装置で端子台を閉じた状態を示す側面図である。
【００１９】
本実施の形態の浴室暖房換気乾燥装置１Ａは、空気を吸い込んで温風または室温に応じた涼風を吹き出すと共に、吸い込んだ空気を排気するファン部２と、ファン部２を覆う本体ケース３を備える。また、浴室暖房換気乾燥装置１Ａは、本体ケース３の長辺方向の一方の側面３０に端子台４を備える。
【００２０】
ファン部２は、多翼の羽根車２０と、羽根車２０を回転駆動するファンモータ２１と、筐体及び風路を形成するファンケース２２を備える。ファン部２は、羽根車２０の回転軸を縦方向として、ファンモータ２１がファンケース２２に取り付けられる。
【００２１】
ファンケース２２は、羽根車２０の円周方向に沿って側壁部２２ａが形成されて、内側に突出した舌部２２ｂを有する。ファンケース２２は、舌部２２ｂによって、羽根車２０の接線方向に沿った空気の流れを発生させる風路が形成される。
【００２２】
ファンケース２２は、羽根車２０の軸方向に沿った底面部２２ｃに吸込口２２ｄを備えると共に、舌部２２ｂより下流側の底面部２２ｃに吹出口２２ｅを備える。また、舌部２２ｂより下流側の側方に排気口２２ｆを備える。
【００２３】
ファン部２は、吸込口２２ｄと吹出口２２ｅが、浴室暖房換気乾燥装置１Ａの長辺方向に沿って設けられ、吹出口２２ｅは、ファンケース２２の舌部２２ｂから、浴室暖房換気乾燥装置１Ａの短辺方向の長さに応じた幅に拡げられる長方形状を有する。
【００２４】
これにより、ファン部２は、本体ケース３の長辺方向の一方の側面３０とファンケース２２の外側とで形成される空間Ｃ１が設けられており、この空間Ｃ１に端子台取付部２３が形成される。本例では、空間Ｃ１は、ファンケース２２において舌部２２ｂの外側で、側壁部２２ａと吹出口２２ｅとの間に形成され、ファンケース２２において舌部２２ｂの外側で、側壁部２２ａと吹出口２２ｅとの間の空間Ｃ１に、端子台取付部２３が形成される。
【００２５】
端子台取付部２３は、浴室暖房換気乾燥装置１Ａの一方の長辺方向の面に対向して設けられ、ファンケース２２の底面部２２ｃの上面側に、位置決め部材としての取付脚部２３ａが突出形成される。
【００２６】
ファン部２は、吹出口２２ｅと排気口２２ｆとの間で風路を切り替える風路切替ダンパ２４を備える。風路切替ダンパ２４は、図示しないダンパモータの駆動力が伝達され、吹出口２２ｅと排気口２２ｆの開閉動作を行う。
【００２７】
ファン部２は、風路切替ダンパ２４の位置を、図６に実線で示すように排気口２２ｆを閉じる循環位置とすると、吹出口２２ｅが開いて、吸込口２２ｄから吹出口２２ｅへ連通した循環風路が形成される。
【００２８】
また、ファン部２は、風路切替ダンパ２４の位置を、図６に一点鎖線で示すように吹出口２２ｅを閉じる換気位置とすると、排気口２２ｆが開いて、吸込口２２ｄから排気口２２ｆへ連通した換気風路が形成される。
【００２９】
更に、ファン部２は、風路切替ダンパ２４の位置を、図６に二点鎖線で示す循環位置と換気位置の間の循環換気位置とすると、吹出口２２ｅと排気口２２ｆの双方が開いて、循環風路と換気風路の双方が形成される。
【００３０】
ファン部２は、吹出口２２ｅにヒータ２５を備える。ヒータ２５は例えばＰＴＣヒータで構成され、ヒータ２５に通電されると、ヒータ２５が加熱されることで吹出口２２ｅを通る空気が加熱され、吹出口２２ｅから温風が吹き出す。
【００３１】
浴室暖房換気乾燥装置１Ａは、ファンケース２２に端子台４が取り付けられる。端子台４は、不燃性材料である金属板で構成された取付部材５を介して、本体ケース３の長辺方向の一方の側面３０とファンケース２２の外側とで形成される空間Ｃ１の端子台取付部２３に取り付けられる。
【００３２】
端子台４は、複数個、本例では３個の電線接続口４０が１列に並べて構成され、後述するように配線が電線接続口４０に挿入されることで、電気的接続及び固定が行われる。また、端子台４の上面にリリースボタン４１が設けられ、リリースボタン４１が押されることで、配線を引き抜くことが可能である。
【００３３】
取付部材５は、金属板を折り曲げて三角柱状に形成され、本体ケース３の側面３０に面した正面に開口部５０が形成される。また、取付部材５は、開口部５０の周辺部にネジ穴５１ａが設けられている締結部材としての固定片部５１が形成される。更に、取付部材５は、端子台取付部２３の取付脚部２３ａの配置に合わせて、底面５２に取付穴部５２ａが形成される。
【００３４】
取付部材５は、ファンケース２２の取付脚部２３ａに取付穴部５２ａを嵌めると、本体ケース３をファン部２に取り付けたときに、取付側面部５３が、本体ケース３の側面３０に対して傾斜する形状である。
【００３５】
端子台４は、電線接続口４０が縦に並ぶ縦向きとして、取付部材５の取付側面部５３にネジ等により固定される。これにより、端子台４は、本体ケース３をファン部２に取り付けたときに、本体ケース３の側面３０に対して横向きに傾斜した向きとなる。
【００３６】
ここで、取付部材５は、ファンケース２２の取付脚部２３ａに取付穴部５２ａを嵌めると、位置合わせは行われるが、ファンケース２２への固定は行われない。これは、後述するように、取付部材５を本体ケース３に固定する際に、取付部材５と本体ケース３の位置ずれを、取付脚部２３ａと取付穴部５２ａで吸収できるようにするためである。
【００３７】
また、取付部材５は、端子台４へ接続される内部からの図示しない配線が通る穴部５４以外は、内側の開口部は極力形成されない構成としている。
【００３８】
浴室暖房換気乾燥装置１Ａは、ファンケース２２の上面に基板６が取り付けられる。基板６は、ファンモータ２１及び図示しないダンパモータと、ヒータ２５等を駆動する駆動素子等が実装される。また、制御基板６と端子台４の間が、図示しない配線で接続される。
【００３９】
本体ケース３は、不燃性材料である金属板で、ファン部２の上側全体を覆う形状に構成され、長辺方向の一方の側面３０に端子台開口部３１が形成される。端子台開口部３１は、ファンケース２２に取り付けられた取付部材５の位置に合わせられ、かつ、取付部材５の開口部５０の大きさに合わせられた開口である。
【００４０】
本体ケース３は、端子台開口部３１の周辺部に、取付部材５の固定片部５１のネジ穴５１ａに合わせて穴部３１ａが形成される。
【００４１】
端子台４が取り付けられた取付部材５は、ファンケース２２の取付脚部２３ａに、取付穴部５２ａを嵌めることで、ファンケース２２に対して位置合わせが行われている。
【００４２】
ファンケース２２に取付部材５が取り付けられているファン部２に本体ケース３が被せられ、本体ケース３がファン部２に固定されると、本体ケース３の側面３０の穴部３１ａが、取付部材５の固定片部５１のネジ穴５１ａと位置が合わせられる。
【００４３】
これにより、ネジ３２を穴部３１ａから挿入して、ネジ穴５１ａに締めることで、取付部材５は本体ケース３に固定される。
【００４４】
このような構成とすることで、ネジ３２を外せば、取付部材５は本体ケース３と分離されて、本体ケース３に配線が接続された状態とすることなく、本体ケース３がファン部２に対して着脱可能となる。
【００４５】
一方、ファン部２に本体ケース３を被せて、ネジ３２を締めることで、取付部材５が内側から本体ケース３に押し付けられ、端子台開口部３１と取付部材５の間に生じる隙間を抑える。
【００４６】
端子台４は、上述したように、電線接続口４０が縦に並ぶ向きとして、取付部材５の取付側面部５３に固定される。これにより、端子台４は、本体ケース３がファン部２に被せられて固定されると、本体ケース３の端子台開口部３１の内側で、側面３０に対して傾斜した向きとなり、縦に並んだ電線接続口４０が、側面３０に対して所定の角度で横を向いて端子台開口部３１に露出する。
【００４７】
また、端子台４の上面に設けられるリリースボタン４１が、所定の角度で横を向いて端子台開口部３１に露出する。これにより、端子台開口部３１から所定の工具で端子台４のリリースボタン４１を押すことが可能となる。つまり、端子台４は、電線接続口４０側の面Ａ１とリリースボタン４１側の面Ａ２の２方向の視認ができる。
【００４８】
本体ケース３は、端子台開口部３１に蓋部３３が取り付けられる。蓋部３３は、不燃性材料の金属板で構成され、図示しない配線が通る切り欠き部３３ａが形成されると共に、本体ケース３の側面３０に形成された溝部３０ａに嵌められる片部３３ｂが形成される。また、蓋部３３は、本体ケース３の側面３０に形成されたネジ穴３０ｂに位置を合わせて穴部３３ｃが形成される。
【００４９】
これにより、蓋部３３は、片部３３ｂが本体ケース３の溝部３０ａに嵌められ、穴部３３ｃの位置をネジ穴３０ｂに合わせてネジ３４が締められると、本体ケース３に固定され、端子台開口部３１が、配線が通る切り欠き部３３ａを除いて塞がれる。
【００５０】
本体ケース３は、短辺方向の一方の側面に、排気口２２ｆとつながるダクトジョイント７が取り付けられる。
【００５１】
浴室暖房換気乾燥装置１Ａは、ファン部２の下面にフロントパネル８が取り付けられる。フロントパネル８は、吸込口２２ｄの位置に合わせて吸込口グリル８０ａが形成されると共に、吹出口２２ｅの位置に合わせて吹出口グリル８０ｂが形成される。
【００５２】
＜浴室暖房換気乾燥装置の設置例＞
図９は、本実施の形態の浴室暖房換気乾燥装置の設置例を示す平面図、図１０は、本実施の形態の浴室暖房換気乾燥装置の設置例を示す端子台を開いた状態の側面図、図１１は、本実施の形態の浴室暖房換気乾燥装置の設置例を示す端子台を閉じた状態の側面図で、次に、本実施の形態の浴室暖房換気乾燥装置１Ａの設置動作について、各図を参照して説明する。
【００５３】
浴室暖房換気乾燥装置１Ａは、浴室の天井１００に形成された開口部１０１から天井裏に入れられ、排気ダクト１０２と接続されたダクトジョイント７が本体ケース３に取り付けられる。排気ダクト１０２は、浴室が設置される建物の構造等によって配管経路が決められる。また、図３に示すフロントパネル８が、浴室の天井１００に露出される形態で取り付けられる。
【００５４】
浴室の天井１００には、浴室暖房換気乾燥装置１Ａの設置作業や点検等で利用される点検口１０３が設けられる。浴室暖房換気乾燥装置１Ａは、端子台４に対する配線の接続作業を点検口１０３から行うために、端子台４が露出する端子台開口部３１が設けられた本体ケース３の側面３０を、点検口１０３に向ける配置で浴室の天井１００に設置される。
【００５５】
浴室暖房換気乾燥装置１Ａは、本体ケース３の側面３０を、点検口１０３に向ける配置で設置されると、図１０に示すように、点検口１０３から見て、端子台開口部３１に露出した端子台４が正面にあり、かつ、端子台４の本例では３個の電線接続口４０が見える。
【００５６】
端子台が本体ケースの上面に取り付けられている従来構造の浴室暖房換気乾燥装置では、天井裏の高さＨが低いと、端子台の視認性が悪く、配線の接続作業が行いにくかった。
【００５７】
これに対して、本実施の形態の浴室暖房換気乾燥装置１Ａでは、点検口１０３から正面に端子台４が見えるようにすることができ、配線２００の接続性の向上と端子台４の操作性の向上を図ることができる。
【００５８】
端子台４は、縦に並んだ電線接続口４０が、本体ケース３の側面３０に対して所定の角度で横を向いており、端子台４の電線接続口４０に配線２００が挿入されると、矢印Ｂで示す配線２００の挿抜方向が点検口１０３から正面に見えるようにすることができ、各電線接続口４０に配線２００が挿入されたか否かが視認しやすくなっている。
【００５９】
また、電線接続口４０に配線２００が挿入されたことを確認する図示しない端子台穴が端子台４の上面に設けられているが、端子台４は、電線接続口４０の並列方向に縦向きとして、本体ケース３の側面３０に対して横を向いて傾斜しており、端子台４の上面が点検口１０３から正面に見えるようにすることができる。
【００６０】
これにより、電線接続口４０に配線２００が挿入されたことを確認する図示しない端子台穴を点検口１０３から見ることができるので、電気工事業者は、電気工事を確実に行うことが可能である。
【００６１】
更に、端子台４の上面に設けられるリリースボタン４１も、点検口１０３の正面で操作可能であり、天井裏の高さＨが低くても、所定の工具を利用してリリースボタン４１を押すことができ、点検時等に、配線２００の取り外しが容易に行なえる。
【００６２】
浴室暖房換気乾燥装置１Ａは、端子台４に配線２００が接続されると、蓋部３３の片部３３ｂが本体ケース３の溝部３０ａに嵌められ、穴部３３ｃの位置をネジ穴３０ｂに合わせてネジ３４が締められることで、蓋部３３が本体ケース３に固定される。
【００６３】
これにより、図１１に示すように、端子台開口部３１が、配線２００が通る切り欠き部３３ａを除いて塞がれる。例えば、切り欠き部３３ａの形状を配線２００の断面形状と同等とし、切り欠き部３３ａの縁部にシール材を設けることで、端子台４が設けられる空間Ｃ２を塞ぐ。端子台４は、不燃性材料である取付部材５及び蓋部３３で覆われることで、端子台４で発生した熱が、本体ケース３の内外に伝達されることを防ぐことができる。また、端子台４に埃がたまることを防ぐことができる。
【００６４】
なお、浴室暖房換気乾燥装置１Ａを操作する図示しない操作部と接続される配線２０１も、端子台開口部３１を通して本体ケース３の内部から引き出され、浴室暖房換気乾燥装置１Ａの施工後に、操作部からの配線と接続される。
【００６５】
ここで、端子台４を本体ケース３の側面３０に取り付けるために、ファンケース２２の舌部２２ｂの外側の空間を利用している。これにより、端子台４を本体ケース３に内蔵する構成としても、本体ケース３の大型化を防ぐことができる。
【００６６】
また、端子台４が本体ケース３の上面に設けられないことで、基板６の配置等によって、ファンケース２２の高さ方向の大型化が可能となる。これにより、羽根車の大型化等が可能となり、ファン回転数を下げて、必要とされる風量を確保できるようになり、静音化が可能となる。
【００６７】
図１２は、本実施の形態の浴室暖房換気乾燥装置の変形例を示す要部斜視図である。蓋部３３Ｂは、配線２００が通る凸部３３ｄが設けられる。凸部３３ｄは、配線２００の外被と密着できる形状で、蓋部３３Ｂと取付部材５で形成される図５に示す空間Ｃ２を、密閉構造としても良い。
【産業上の利用可能性】
【００６８】
本発明は、住宅等の建物の天井に設置される空調装置や換気扇等の設備機器に適用される。
【図面の簡単な説明】
【００６９】
【図１】本実施の形態の浴室暖房換気乾燥装置の一例を示す斜視図である。
【図２】本実施の形態の浴室暖房換気乾燥装置の一例を示す分解斜視図である。
【図３】本実施の形態の浴室暖房換気乾燥装置の一例を示す分解斜視図である。
【図４】本実施の形態の浴室暖房換気乾燥装置における端子台の分解斜視図である。
【図５】本実施の形態の浴室暖房換気乾燥装置の内部構成を示す平面断面図である。
【図６】本実施の形態の浴室暖房換気乾燥装置の内部構成を示す側断面図である。
【図７】本実施の形態の浴室暖房換気乾燥装置で端子台を開いた状態を示す側面図である。
【図８】本実施の形態の浴室暖房換気乾燥装置で端子台を閉じた状態を示す側面図である。
【図９】本実施の形態の浴室暖房換気乾燥装置の設置例を示す平面図である。
【図１０】本実施の形態の浴室暖房換気乾燥装置の設置例を示す端子台を開いた状態の側面図である。
【図１１】本実施の形態の浴室暖房換気乾燥装置の設置例を示す端子台を閉じた状態の側面図である。
【図１２】本実施の形態の浴室暖房換気乾燥装置の変形例を示す要部斜視図である。
【符号の説明】
【００７０】
１Ａ・・・浴室暖房換気乾燥装置、２・・・ファン部、２０・・・羽根車、２１・・・ファンモータ、２２・・・ファンケース、２２ａ・・・側壁部、２２ｂ・・・舌部、２２ｃ・・・底面部、２２ｄ・・・吸込口、２２ｅ・・・吹出口、２２ｆ・・・排気口、２３・・・端子台取付部、２３ａ・・・取付脚部、２４・・・風路切替ダンパ、２５・・・ヒータ、３・・・本体ケース、３０・・・側面、３０ａ・・・溝部、３０ｂ・・・ネジ穴、３１・・・端子台開口部、３１ａ・・・穴部、３２・・・ネジ、３３・・・蓋部、３３ａ・・・切り欠き部、３３ｂ・・・片部、３３ｃ・・・穴部、４・・・端子台、４０・・・電線接続口、４１・・・リリースボタン、５・・・取付部材、５０・・・開口部、５１・・・固定片部、５１ａ・・・ネジ穴、５２・・・底面、５２ａ・・・取付穴部、５３・・・取付側面部、５４・・・穴部、６・・・制御基板、７・・・ダクトジョイント、８・・・フロントパネル、８０ａ・・・吸込口グリル、８０ｂ・・・吹出口グリル、１００・・・天井、１０１・・・開口部、１０２・・・排気ダクト、１０３・・・点検口、２００・・・配線、２０１・・・配線
【図１】
0005007692.tif 000002
【図２】
0005007692.tif 000003
【図３】
0005007692.tif 000004
【図４】
0005007692.tif 000005
【図５】
0005007692.tif 000006
【図６】
0005007692.tif 000007
【図７】
0005007692.tif 000008
【図８】
0005007692.tif 000009
【図９】
0005007692.tif 000010
【図１０】
0005007692.tif 000011
【図１１】
0005007692.tif 000012
【図１２】
0005007692.tif 000013